(57)【要約】【課題】より簡易にセンサを測定装置本体に着脱できる生体成分測定装置を提供する。【解決手段】生体成分測定装置は、その内部に流入する生体成分含有液体の成分に応じた電気信号を出力するセンサ１２であって、液体の流入出口と、１以上のセンサ側電極が配された電極部と、を有するセンサ１２と、前記センサ１２を流入出口よりも電極部が下になる基準姿勢で支持するベース部５０と、ベース部５０とセンサ１２との間に介在するターミナル１４であって、１以上の本体側電極が設けられるとともに前記センサ側電極と前記本体側電極が接触した状態で前記センサ１２が接続されるターミナル１４と、を備え、前記ターミナル１４は、前記センサ１２を、一時的に前記基準姿勢以外の姿勢に変更するべく、前記ベース部５０に対して回動可能である、ことを特徴とする。【選択図】図３
2015017826.tif 000002
【特許請求の範囲】
【請求項１】
その内部に流入する生体成分含有液体の成分に応じた電気信号を出力するセンサであって、前記生体成分含有液体の流入出口と、１以上のセンサ側電極が配された電極部とを有するセンサと、
前記センサを流入出口よりも電極部が下になる基準姿勢で支持する支持部材と、
前記支持部材とセンサとの間に介在するターミナルであって、１以上の本体側電極が設けられるとともに前記センサ側電極と前記本体側電極が接触した状態で前記センサが接続されるターミナルと、
を備え、
前記ターミナルは、前記センサを一時的に前記基準姿勢以外の姿勢に変更するべく、前記支持部材に対して回動可能である、
ことを特徴とする生体成分測定装置。
【請求項２】
請求項１に記載の生体成分測定装置であって、
前記センサは、その一端に前記電極部が形成されており、
前記ターミナルは、前記電極部が形成されたセンサの一端が挿入される挿入口を有しており、
前記挿入口は、前記ターミナルの支持部材に対する回動角度がゼロの場合、下方に向いている、
ことを特徴とする生体成分測定装置。
【請求項３】
請求項１または２に記載の生体成分測定装置であって、
前記ターミナルは、前記支持部材に対して回動した状態を一時的に保つ保持機構を有する、ことを特徴とする生体成分測定装置。
【発明の詳細な説明】
【技術分野】
【０００１】
本発明は、液体に含まれる生体成分を測定する生体成分測定装置に関する。
【背景技術】
【０００２】
液体に含まれる生体成分を測定する生体成分測定装置は、種々の医療支援装置、例えば、人工すい臓等に組み込まれることが多い。人工すい臓に組み込まれる生体成分測定装置は、血液中の血糖値を測定する。かかる生体成分測定装置において、液中に含まれる生体成分に応じた電気信号を出力するセンサや、生体成分含有液体を輸送する輸液ラインは、衛生上の観点から、あるいは測定精度向上のため、使用の度に交換、廃棄されることが多い。また、センサ等を使い捨てにしない場合であっても、測定の目的や患者の状態に応じて、適宜センサ等を交換できることが望ましい。
【０００３】
そのためセンサ等は通常、生体成分測定装置の本体に対して着脱自在となっている。生体成分測定装置の本体には、センサから送られる電気信号に基づく測定結果の演算等を行う制御部や、センサに電力を供給する電源の他、センサと制御部および電源とを電気的に接続するターミナル等が設けられている。センサは、このターミナルに着脱自在となっている。ターミナルには、センサに設けられたセンサ側電極と接触する本体側電極が設けられている。センサは、これらの両電極が互いに接触するように、ターミナルに接続される。
【先行技術文献】
【特許文献】
【０００４】
【特許文献１】特開２０１０−２４０３１１号公報
【発明の概要】
【発明が解決しようとする課題】
【０００５】
ここで、センサには輸液ラインが接続され、センサ内部に生体成分含有液体が取り込まれるようになっている。この生体成分含有液体が、輸液ラインとの接続部やセンサ内部に形成された流路の不具合に起因してターミナル方向に流れると、当該ターミナルや、ターミナルと電気的に接続された電子部品の故障を招く恐れがある。そのためセンサは、当該センサに設けられた液体の流入出口がセンサ側電極より下になるような姿勢で、ターミナルに接続保持される。
【０００６】
しかし、ターミナルに接続する際のセンサの姿勢を固定した場合、センサの着脱時に、センサおよびターミナルの位置および姿勢に合わせてユーザが姿勢を変えなければならず、ユーザにとって負担となる場合があった。
【０００７】
なお、特許文献１には、センサが本体に対して着脱自在である生体成分測定装置が開示されている。しかし、特許文献１に記載された生体成分測定装置では、センサを本体に取り付けた際のセンサの姿勢について何ら考慮されていない。すなわち特許文献１に代表される従来技術では、センサを測定装置本体（ターミナル）に着脱する際のユーザの姿勢について何ら考慮されていない。
【０００８】
そこで本発明では、より簡易にセンサを測定装置本体に着脱できる生体成分測定装置を提供することを課題とする。
【課題を解決するための手段】
【０００９】
本発明の生体成分測定装置は、その内部に流入する生体成分含有液体の成分に応じた電気信号を出力するセンサであって、前記生体成分含有液体の流入出口と、１以上のセンサ側電極が配された電極部とを有するセンサと、前記センサを流入出口よりも電極部が下になる基準姿勢で支持する支持部材と、前記支持部材とセンサとの間に介在するターミナルであって、１以上の本体側電極が設けられるとともに前記センサ側電極と前記本体側電極が接触した状態で前記センサが接続されるターミナルとを備え、前記ターミナルは、前記センサを、一時的に前記基準姿勢以外の姿勢に変更するべく、前記支持部材に対して回動可能である、ことを特徴とする。
【００１０】
好適な態様では、前記センサは、その一端に前記電極部が形成されており、前記ターミナルは、前記電極部が形成されたセンサの一端が挿入される挿入口を有しており、前記挿入口は、前記ターミナルの支持部材に対する回動角度がゼロの場合、下方に向いている。他の好適な態様では、前記ターミナルは、前記支持部材に対して回動した状態を一時的に保つ保持機構を有する。
【発明の効果】
【００１１】
本発明によれば、ターミナルが支持部材に対して回動可能であるため、センサの着脱に際して、ユーザは自身の姿勢を変更する必要がなく、より簡易にセンサを測定装置本体に着脱できる。
【図面の簡単な説明】
【００１２】
【図１】本発明の実施形態である生体成分測定装置の構成を示す図である。
【図２】本体部の斜視図である。
【図３】ターミナル周辺の斜視図である。
【図４】ターミナル周辺の斜視図である。
【図５】図３の概略Ａ−Ａ断面図である。
【図６】従来の生体成分測定装置におけるセンサ取付構造を示す図である。
【発明を実施するための形態】
【００１３】
以下、本発明の実施形態について図面を参照して説明する。図１は、本発明の実施形態である生体成分測定装置１０の構成を示す図である。また、図２は、生体成分測定装置１０の本体部１１の斜視図である。
【００１４】
生体成分測定装置１０には、サンプル液中含まれる生体成分を測定するための装置である。この生体成分測定装置１０は、当該装置単独で用いられてもよいし、人工すい臓等の医療支援装置に組み込まれてもよい。以下では、血液中に含まれるグルコース濃度を測定する生体成分測定装置１０を例示して説明する。
【００１５】
生体成分測定装置１０は、サンプル液中の生体成分に反応して電気信号を出力するセンサ１２と、生体成分含有液体が流れる複数の輸液ラインＬ１〜Ｌ７と、当該センサおよび輸液ラインＬ１〜Ｌ７が着脱自在に取り付けられる本体部１１とが設けられている。本体部１１には、液体の流れを制御する複数のポンプＰやバルブＶ１〜Ｖ８、電源、制御部の他、センサおよびセンサで発生した電気信号を本体部１１へ中継するターミナル１４等を支持する支持板３０等が設けられている。なお、図２には、本体部１１のみが図示されており、センサ１２および輸液ラインＬ１〜Ｌ７の図示は省略されている。
【００１６】
体液輸液ラインＬ１の一端は、カテーテル等の血液採取手段２４に接続されており、当該血液採取手段２４で採取された血液は、ポンプＰを駆動することにより混合器２０に移送される。血液採取手段２４には、第一希釈液輸液ラインＬ２を介して、血液希釈液貯留槽Ｃ１に貯留された血液希釈液がポンプＰの駆動に応じて移送される。この血液希釈液は、主に血液採取手段２４において血液の凝固が発生しないようにすることを目的としている。採取された血液は、当該血液希釈液によって所定の倍率に希釈される。
【００１７】
第二希釈液輸液ラインＬ３の一端は、希釈液が貯留されている希釈液貯留槽Ｃ２に接続されており、当該希釈液貯留槽Ｃ２に貯留されている希釈液は、ポンプＰを駆動することにより混合器２０に移送される。混合器２０は、移送されてきた血液および希釈液を均一に混合して気液分離器２２に送りだす。なお、この混合のために空気を利用してもよく、その場合には当該混合器２０に空気を送る気体ラインＬ８を設ける。
【００１８】
気液分離器２２は、混合液から気体を分離する。気体が分離された混合液の一部は、サンプル液として、サンプル液輸液ラインＬ４を通じてセンサ１２に移送される。また、気体が除去された混合液の残りは、溢液輸液ラインＬ６を通じて、廃液貯留槽Ｃ３に送られる。なお、センサ１２を較正する際には、血液に替えて、予め規定成分に調整された較正液が、較正液貯留槽Ｃ４から較正液輸液ラインＬ７を介して混合器２０に送られる。また、各輸液ラインＬ１〜Ｌ７の途中には、流量や連通先を切り替えるためのバルブＶ１〜Ｖ８が設けられている。
【００１９】
センサ１２は、供給されたサンプル液中の生体成分、具体的には、サンプル液中のグルコース濃度に応じた電気信号を制御部１８に出力する。制御部１８は、この電気信号から生体成分の測定値を算出する。また、制御部１８は、ポンプＰやバルブＶ１〜Ｖ８の駆動制御等も行う。
【００２０】
ところで、以上のような構成の生体成分測定装置１０では、測定の目的や患者の状態等に応じて、センサ１２と輸液ラインＬ１〜Ｌ７との組み合わせを適宜変更できることが望ましい。そのため、従来から生体成分測定装置１０のセンサ１２と輸液ラインＬ１〜Ｌ７は、それぞれ別個の製品として流通しており、ユーザは、所望のセンサ１２に所望の輸液ラインＬ１〜Ｌ７を接続して使用している。このセンサ１２と輸液ラインＬ１〜Ｌ７との接続を容易にするため、センサ１２に連通されるサンプル液輸液ラインＬ４の端部および廃液輸液ラインＬ５の端部にはコネクタ１６が設けられている。このコネクタ１６をセンサ１２に接続することで、両輸液ラインＬ４，Ｌ５と、センサ１２の内部に形成された流路と、が連通される。
【００２１】
また、生体成分測定装置１０では、衛生上の観点や測定精度の観点から、各種輸液ラインＬ１〜Ｌ７やセンサ１２は、使用の度に廃棄・交換することが望ましい。センサ１２は、その廃棄・交換を容易にするため、生体成分測定装置１０の本体部に対して着脱自在となっている。
【００２２】
ここで従来の生体成分測定装置１０では、本体部１１に対するセンサ１２の取付位置および姿勢が固定であった。そのため本体部１１にセンサ１２を着脱する際には、規定の取付位置および姿勢に合わせてユーザが姿勢を変えなければならず、ユーザにとって負担であった。これについて、図６を参照して説明する。図６は、従来の生体成分測定装置におけるセンサ１１２の取付構造を示す概略図である。
【００２３】
センサ１１２は、その一端に電極部１４０が、他端にサンプル液の流入出口１４２が設けられている。流入出口１４２にはコネクタ１１６を介して輸液ラインＬ４，５が接続される。電極部１４０には、センサ１１２への電力供給を受け付けたり、電気信号の送受を行ったりするためのセンサ側電極１３６が複数設けられている。
【００２４】
本体部には、センサ１１２が載置される支持板１３０が固定設置されている。支持板１３０は、図６に示すように傾斜した状態、より具体的には、正面から見た場合に、上側に対して下側が、手前にせり出すような角度で設置されているこの支持板１３０には、ターミナルホルダ１１３を介して、ターミナル１１４が位置および姿勢不変の状態で固着されている。ターミナル１１４は、電極部１４０の挿入を受け付け、下向きに開口した挿入口１４６を有している。この挿入口１４６に電極部１４０を挿入することでセンサ１１２がターミナル１１４に接続される。挿入口１４６内には、センサ側電極１３６と接触する本体側電極１４８が設けられており、挿入口１４６に電極部１４０を挿し込むことによりセンサ側電極１３６と本体側電極１４８とが電気的に接続される。
【００２５】
センサ１１２をターミナル１１４に接続（電極部１４０を挿入口１４６に挿入）した際、センサ１１２は、支持板１３０に沿った姿勢、すなわち、上側に対して下側が手前にせり出し、電極部１４０が流入出口１４２よりも上側になるような姿勢となる。センサ１１２を前記姿勢にするのは、漏液に起因するターミナル１１４等の故障を防止するためである。すなわちセンサ１１２には、サンプル液が流れる輸液ラインＬ４，Ｌ５が接続され、センサ１１２の内部にはサンプル液が流れる。通常、こうしたサンプル液は、外部に漏出しないように十分な注意が払われるが、センサ１１２とコネクタ１１６との接続不良や、センサ１１２の内部に形成された流路の不具合等に起因して外部に漏出することがある。かかる場合に、流入出口１４２が電極部１４０よりも上側に位置していると、重力により漏出したサンプル液が、ターミナル１１４側に流れてしまい、当該ターミナル１１４やターミナル１１４に電気的に接続される各種電子部品等の故障を招く。かかる漏液に起因するターミナル１１４等の故障を防止するため、従来の生体成分測定装置１００のセンサ１１２は、電極部１４０が流入出口１４２よりも上になるような姿勢で本体部に取り付けられていた。
【００２６】
しかし、こうした従来の構成の場合、ユーザは、下向きに開口した挿入口１４６に電極部１４０を挿し込むために、例えば、かがむ等して、ユーザ自身の姿勢を変えなければならない。このため、ユーザの作業が煩雑であった。そこで、本実施形態では、センサの取付構造、特にターミナルの構造を、ユーザの負担をより軽減できる構造としている。以下、これについて図３〜図５を参照して説明する。図３、図４は、ターミナル１４周辺の斜視図である。また、図５は、図３における概略Ａ−Ａ断面図である。
【００２７】
図３〜図５に示す通り、センサ１２は略矩形の筐体を有しており、その内部には、グルコース測定のための電気回路の他、サンプル液が流れる流路が形成されている。
【００２８】
センサ１２の一端からは、電極部（図３、図４では、絶縁板６０により見えず）が突出している。この電極部の上面には、複数のセンサ側電極端子が幅方向に配列されている。センサ１２への給電や各種電気信号の送受は、この複数のセンサ側電極端子を介して行われる。
【００２９】
センサ１２の他端には、サンプル液の流入出口（図３、図４では、コネクタ１６により見えず）が形成されている。この流入出口には、当該センサ１２の内部の流路と、輸送ラインＬ４，Ｌ５を液密に連通するためのコネクタ１６が接続されている。このコネクタ１６の構成は、特に限定されないが、センサ１２とターミナル１４との着脱状態に関わらず、センサ１２との接続状態が継続できる構成であることが望ましい。したがって、例えば、コネクタ１６に、輸送ラインＬ４，Ｌ５に連通するノズルを、そしてセンサ１２に、流入出口に連通するとともにノズルが圧入される可撓性チューブを、それぞれ設けてもよい。この場合、ノズルは、可撓性チューブからノズルが受ける弾性力により、可撓性チューブに保持される。
【００３０】
ターミナル１４は、ターミナルホルダ１３を介して、図２に示す支持板３０に取り付けられる。ターミナルホルダ１３は、支持板３０の上面に載置されて固着される部材で、支持板３０とほぼ平行に延びるベース部５０と、当該ベース部５０から立脚する一対の立壁５２とを有している。ベース部５０は、図２に示す支持板３０とともに、センサ１２を支持する支持部材として機能する。センサ１２が、このベース部５０（支持部材）に載置され、センサ１２の流入口が電極部よりも下側になる基準姿勢で成分測定が実行される。
【００３１】
一対の立壁５２は、ターミナルの幅相当の幅を開けて対向している。各立壁５２には、回転軸用ボルト５４が螺合する雌ネジと、当該雌ネジを中心とする半径Ｒの円弧上に間隔を開けて形成された複数の係止孔５６が設けられている。
【００３２】
ターミナル１４は、センサ１２を保持し、当該センサ１２と、測定装置本体部に設けられた各種電気機器とを電気的に接続する部材で、一対の立壁５２に間に設置される。ターミナル１４は、図２に示す支持板３０に取り付けた際に下方になる側に開口した略箱型となっている。ターミナル４８には、ターミナル電極端子が設けられている（ただし、図２、図３では、ターミナル電極端子は、当該電極端子間に配される絶縁板６０に隠れて見えていない）。ターミナル電極端子は、フラットケーブルを介して、測定装置１０の本体１１に設けられた制御部１８に電気的に接続されている。また、各ターミナル電極端子は、垂直に立脚した後、水平方向に屈曲する略Ｌ字状であり、ターミナル電極端子の水平部分の下側には、センサ１２の電極部が挿入される挿入口４６が形成されている。また、ターミナル１４には、挿入口４６に挿し込まれたセンサ１２を、挿し込まれた状態で保持する保持機構も設けられている。この保持機構は、センサ１２を保持できる機構であれば特に限定されないが、例えば、センサ１２の一部に係合する係合部材等を用いることができる。
【００３３】
ターミナル１４の側壁６２には、回転軸用ボルト５４の先端が入り込んで引っ掛かる止まり穴６４が形成されている。回転軸用ボルト５４が、止まり穴６４に入り込んで引っ掛かることにより、ターミナル１４のターミナルホルダ１３からの抜け落ちが防止される。また、回転軸用ボルト５４は、止まり穴６４に引っ掛かっているだけで、止まり穴６４に固定されていない。このためターミナル１４は、当該回転軸用ボルト５４を中心として、ターミナルホルダ１３、ひいてはターミナルホルダ１３が固着された支持板３０に対して回動（ピッチ回転）することができる。
【００３４】
ターミナル１４の側壁６２のうち、止まり穴６４の中心から距離Ｒだけ離れた位置には、外側（立壁５２側）に向かって突出した係止ボール６６が設けられている。係止ボール６６は、側壁６２の厚み方向に進退自在となっており、バネ等の弾性体６８により、外側方向に付勢されている。また、球状の係止ボール６６は、側壁６２の面方向の力を、厚み方向内向きの力に変換することができるようになっている。この係止ボール６６が、立壁５２に設けられた係止孔５６に入り込み引っ掛かることで、ターミナル１４のターミナルホルダ１３に対する回動角度、すなわち、ターミナル１４の姿勢が一時的に固定される。また、ターミナル１４をターミナルホルダ１３に対して回動させるべくターミナル１４に回動方向の力を加えると、係止ボール６６に、係止孔５６の周縁が当たり、面方向の力が付加される。この面方向の力は、厚み方向内向きの力に変換される。このため係止ボール６６は、バネ６８の付勢力に抗して厚み方向内向きに移動し、係止孔５６との係合関係が解除される。これにより、ターミナル１４の回動角度（姿勢）が変更可能となる。
【００３５】
以上のような構成の生体成分測定装置１０において、センサ１２を本体部１１に着脱する際の流れについて簡単に説明する。センサ１２を本体部１１に取り付ける際には、予め、センサ１２にコネクタ１６を介して輸液ラインＬ４，Ｌ５を接続しておく。このコネクタ１６の取付操作は、センサ１２を本体部１１に取り付ける前に行う。このためユーザは、コネクタ１６およびセンサ１２を、自己の都合のよい位置、姿勢にすることができ、ユーザ自身が姿勢を変える必要はない。
【００３６】
続いて、当該センサ１２をターミナル１４に接続するため、電極部を挿入口４６に挿入する。電極部の挿入口４６への挿し込み操作を容易にするためには、当該挿入口４６がユーザから見やすい位置にあること、具体的には、挿入口４６が水平向き〜上向きになっていることが望ましい。このためユーザは、ターミナル１４をターミナルホルダ１３に対して回動させ、挿入口４６が水平向き〜上向きになるように、ターミナル１４の姿勢を変更する。そして、この状態で電極部を挿入口４６に挿入する。なお、ターミナル１４は、係止ボール６６と係止孔５６との係合関係により一時的に特定の角度で固定される。そのため、センサ１２の挿入操作の際、ユーザは、ターミナル１４を手で保持している必要はなく、センサ挿入操作に両手を使うことができる。電極部を挿入口４６に挿入したのち、ターミナル１４を反対側に回動させ、ターミナルホルダ１３のベース部５０に沿う姿勢に戻す。その結果、ターミナル１４およびセンサ１２は、いずれもベース部５０および支持板３０、すなわち支持部材に沿った基準姿勢となる。この基準姿勢において、センサ側電極部は、流体の流入出口よりも上側に位置することになる。そのため、コネクタ１６との接続不良や流路の不具合によりサンプル液が漏れたとしても、当該サンプル液がターミナル１４まで流れ込むことが効果的に防止される。また、ターミナル１４およびセンサ１２が、支持板３０に沿って配置され、支持板３０に支持された状態となる。このため振動や移動している人とのぶつかり等によって、センサ１２がターミナル１４から抜け落ちたり故障したりすることも効果的に防止される。センサ１２をターミナル１４から取り外す際には、ターミナル１４を、挿入口が水平向き〜上向きになる位置まで、ターミナルホルダ１３に対して回動したうえで、センサ１２をターミナル１４から抜き取ればよい。
【００３７】
つまり、本実施形態によれば、ターミナル１４の姿勢を適宜変更できるため、センサ１２を着脱する際にユーザ自身が姿勢を変更する必要はなく、簡易にセンサ１２を着脱することができる。また、本実施形態のターミナル１４は、所望の角度で一時的に固定できる。このためターミナル１４からセンサ１２を挿脱する際に、ユーザは、手でターミナル１４を保持する必要がなく、そして挿脱操作に両手を使うことができる。
【００３８】
なお、これまで説明した構成は、一例であり、センサ１２を保持するターミナル１４が支持板３０に対して回動できるのであれば、その他の構成は、適宜変更されてもよい。例えば、本実施形態では、ターミナル１４を手動で回動させる構成としたが、モータや電磁シリンダ、油圧シリンダ等を利用して電動で回動させる構成としてもよい。また、本実施形態では、係止ボール６６を係止孔５６に係合させることで、ターミナル１４の角度を一時的に固定したが、他の機構、例えば、カムや磁石等を利用してターミナル１４の姿勢を一時固定してもよい。また、場合によっては、ターミナル１４の一時固定機能は省略してもよい。
【００３９】
また、ターミナル１４の姿勢を検知する機構を設け、ターミナル１４が基準姿勢以外の場合には、生体成分測定装置の駆動、特に、サンプル液の輸送を開始しないようにしてもよい。姿勢検知機構としては、例えば、ターミナル１４が基準姿勢の場合にのみ接触する位置に設けられた接触スイッチ等が挙げられる。また、ターミナル１４をモータで回動させる場合には、当該モータの回転数・回転方向等からターミナル１４の姿勢を検知してもよい。また、ターミナル１４の回動を電動制御する場合には、生体成分の測定中（液体の輸送中）にターミナル１４が回動できないようにするのも望ましい。
【００４０】
また、本実施形態では、ターミナル１４をターミナルホルダ１３を介して支持板３０に取り付けているが、ターミナル１４を、ターミナルホルダ１３を用いずに直接支持板３０に取り付けてもよい。また、本実施形態では、支持板３０を傾斜させているが、支持板３０は、当該支持板３０に沿って配置されるセンサ１２の流入出口が電極部より下側に位置するのであれば、垂直に配置されてもよい。また、水平配置された支持板３０の上に、上面が傾斜した載置台を設置し、当該載置台にターミナル１４およびセンサ１２を設置することで、センサ１２の流入出口を電極部より下側に位置させてもよい。この場合、載置台や、載置台に取り付けられるターミナルホルダ１３のベース部５０が、センサ１２を支持する支持部材となる。
【００４１】
また、これまでの説明では、グルコースを測定する生体成分測定装置を例に挙げて説明したが、本実施形態は、体液に含まれる生体成分であれば他の成分、例えば、尿素や、尿酸、糖分（乳糖、蔗糖、ラクテート等）、グルタミン酸、アンモニア、クレアチニン等を測定する装置に適用されてもよい。また、測定対象であるサンプル液としては、生体中に含まれる体液、例えば血液、リンパ液、尿、汗等の他、当該体液を試薬や希釈液と混合した液体、生体成分と同成分と試薬や希釈液を混合して生成される疑似体液等を用いることができる。
【００４２】
生体成分を測定するセンサとしては、生体成分の種類に応じた各種のセンサを挙げることができる。このセンサとして、例えば、酵素を用いた酵素センサ、微生物を用いた微生物センサ、酵素と微生物を用いたハイブリッド型センサ等が挙げられる。このようなセンサにおいて固定化される酵素又は微生物は、測定される被測定対象物つまり生体成分に応じて選択される。例えば、被測定対象物がグルコースであるときにはβ−Ｄ−グルコースオキシダーゼ、シュードモナスフルオレッセンス（Ｐｓｅｕｄｏｍｏｎａｓ ｆｌｕｏｒｅｃｅｎｓ）、被測定対象物が尿素であるときにはウレアーゼ、被測定対象物が尿酸であるときにはウリカーゼ、被測定対象物がラクテートであるときにはラクテートオキシダーゼ、被測定対象物が乳糖であるときにはラクターゼ又はβ−ガラクトシダーゼ、被測定対象物がエタノールであるときにはアルコールオキシダーゼ、トリコスポロンブラシカエス（Ｔｒｉｃｈｏｓｐｏｒｏｎ ｂｒａｓｓｉｃａｅｓ）、被測定対象物がグルタミン酸であるときにはグルタメートデヒドロゲナーゼ、エシェリキア コリ（Ｅｓｃｈｅｒｉｃｈｉａ ｃｏｌｉ）、被測定対象物がアンモニアであるときには硝化細菌等が選択される。
【００４３】
また、生体成分測定装置による生体成分の測定としては、生体成分を構成する成分の量や濃度を測定するだけでなく、生体成分を含むサンプル全体や個々の生体成分の性質や物性を測定することも含んでいる。したがって、例えば、測定しようとしている生体成分を含むサンプルのｐＨ値や酸素濃度を測定することも生体成分の測定となる。
【符号の説明】
【００４４】
１０  生体成分測定装置、１１  本体部、１２  センサ、１３  ターミナルホルダ、１４  ターミナル、１６  コネクタ、１８  制御部、２０  混合器、２２  気液分離器、２４  血液採取手段、３０  支持板、４６  挿入口、５０  ベース部、５２  立壁、５４  回転軸用ボルト、５６  係止孔、６２  側壁、６４  止まり穴、６６  係止ボール、６８  弾性体、Ｃ１  血液希釈液貯留槽、Ｃ２  希釈液貯留槽、Ｃ３  廃液貯留槽、Ｃ４  較正液貯留槽、Ｌ１〜Ｌ７  各種輸液ライン、Ｐ  ポンプ、Ｖ１〜Ｖ８  バルブ。
【図１】
2015017826.tif 000003
【図２】
2015017826.tif 000004
【図３】
2015017826.tif 000005
【図４】
2015017826.tif 000006
【図５】
2015017826.tif 000007
【図６】
2015017826.tif 000008